(57)【要約】【課題】レンズと発光素子との位置決めを行うためのアライメントマークの位置が、発光素子から離れることにより、レンズの位置決めが不正確になる恐れがある。【解決手段】光を発光する発光素子７４が複数配設された発光素子基板８７と、発光素子基板８７に配設された複数の発光素子７４から発光された光を結像させる結像光学系と、発光素子基板８７の複数の発光素子７４が配設された発光素子配設領域７１Ａに形成されたアライメントマークＡＭと、を有する。【選択図】図５
2011067961.tif 000002
【特許請求の範囲】
【請求項１】
光を発光する発光素子が複数配設された発光素子基板と、
前記発光素子基板に配設された複数の前記発光素子から発光された光を結像させる結像光学系と、
前記発光素子基板の複数の前記発光素子が配設された領域に形成されたアライメントマークと、を有することを特徴とするラインヘッド。
【請求項２】
複数の前記発光素子は、第１の方向に配設された発光素子行を形成する請求項１に記載のラインヘッド。
【請求項３】
前記結像光学系で結像される前記発光素子行は偶数行である請求項２に記載のラインヘッド。
【請求項４】
前記発光素子行は、複数の前記発光素子が前記第１の方向に偶数個配設されて形成される請求項２又は３に記載のラインヘッド。
【請求項５】
前記結像光学系で結像される複数の前記発光素子は前記発光素子基板に前記アライメントマークを中心にして点対称に配設される請求項１から４のいずれか一項に記載のラインヘッド。
【請求項６】
光を発光する発光素子が複数配設された発光素子基板、前記発光素子基板に配設された複数の前記発光素子から発光された光を結像させる結像光学系、及び前記発光素子基板の複数の前記発光素子が配設された領域に形成されたアライメントマークを有するラインヘッドと、
前記ラインヘッドにより潜像が形成される潜像担持体と、
前記潜像担持体に形成された前記潜像を現像する現像部と、を有することを特徴とする画像形成装置。
【請求項７】
光を発光する発光素子が複数配設された発光素子基板と、前記発光素子基板に配設された複数の前記発光素子から発光された光を結像させる結像光学系と、を、前記発光素子基板の前記複数の発光素子が配設された領域に形成されたアライメントマークに基づいて位置関係を調整することを特徴とするラインヘッドの組み立て方法。
【発明の詳細な説明】
【技術分野】
【０００１】
本発明は、ラインヘッド、画像形成装置及びラインヘッドの組み立て方法に関する。
【背景技術】
【０００２】
従来から、結像光学系として複数のレンズをアレイ状に並べたレンズアレイが知られている。例えば、特許文献１では、このようなレンズアレイをラインヘッドに組み込んで使用することが提案されている。このラインヘッドでは、レンズアレイの各レンズに対応する発光素子が発光素子基板に配設されて、各発光素子からの光が各レンズによって結像される。そして、この結像光によって被露光面が露光される。また、レンズアレイのレンズの位置決めを正確に行なうために、レンズアレイ及び発光素子基板にアライメントマークを形成している。
【先行技術文献】
【特許文献】
【０００３】
【特許文献１】特開２００８−１５２０４０号公報
【発明の概要】
【発明が解決しようとする課題】
【０００４】
しかしながら、特許文献１では、レンズアレイ及び発光素子基板に形成されたアライメントマークの位置が、それぞれの基板の周囲に設けられている。このため、アライメントマークの位置が発光素子から離れることになり、レンズアレイのレンズの位置決めが不正確になる恐れがある。これにより、レンズと発光素子との位置関係がずれてしまったような場合、結像倍率がずれたり収差が悪化したりして、所望の結像特性が得られない問題が生じてしまう。
【課題を解決するための手段】
【０００５】
本発明は、上述の課題の少なくとも一部を解決するためになされたものであり、以下の形態または適用例として実現することが可能である。
【０００６】
［適用例１］光を発光する発光素子が複数配設された発光素子基板と、前記発光素子基板に配設された複数の前記発光素子から発光された光を結像させる結像光学系と、前記発光素子基板の複数の前記発光素子が配設された領域に形成されたアライメントマークと、を有することを特徴とするラインヘッド。
【０００７】
この構成によれば、発光素子基板の複数の発光素子が配設された領域にアライメントマークが形成されている。このため、アライメントマークの位置が発光素子の近傍の位置となり、アライメントマークによる位置調整の誤差を小さくすることができる。この結果、結像光学系と発光素子基板との位置関係を正確に調整することができ、レンズと発光素子との位置関係のずれを抑えて所望の結像特性を得ることができる。
【０００８】
［適用例２］複数の前記発光素子は、第１の方向に配設された発光素子行を形成する上記ラインヘッド。
【０００９】
この構成によれば、複数の前記発光素子は、第１の方向に配設された発光素子行を形成する。
【００１０】
［適用例３］前記結像光学系で結像される前記発光素子行は偶数行である上記ラインヘッド。
【００１１】
この構成によれば、発光素子行が偶数行であることにより、発光素子基板の複数の発光素子が配設された領域の中央位置にアライメントマークを形成することができる。これにより、アライメントマークを用いて容易に位置調整を行うことができる。
【００１２】
［適用例４］前記発光素子行は、複数の前記発光素子が前記第１の方向に偶数個配設されて形成される上記ラインヘッド。
【００１３】
この構成によれば、複数の発光素子が第１の方向に偶数個配設されることにより、発光素子基板の複数の発光素子が配設された領域の中央位置にアライメントマークを形成することができる。これにより、アライメントマークを用いて容易に位置調整を行うことができる。
【００１４】
［適用例５］前記結像光学系で結像される複数の前記発光素子は前記発光素子基板に前記アライメントマークを中心にして点対称に配設される上記ラインヘッド。
【００１５】
この構成によれば、各発光素子がアライメントマークを中心に点対称に配置されていることにより、アライメントマークの位置を発光素子基板の複数の発光素子が配設された領域の中央位置とすることができる。
【００１６】
［適用例６］光を発光する発光素子が複数配設された発光素子基板、前記発光素子基板に配設された複数の前記発光素子から発光された光を結像させる結像光学系、及び前記発光素子基板の複数の前記発光素子が配設された領域に形成されたアライメントマークを有するラインヘッドと、前記ラインヘッドにより潜像が形成される潜像担持体と、前記潜像担持体に形成された前記潜像を現像する現像部と、を有することを特徴とする画像形成装置。
【００１７】
この構成によれば、発光素子基板の複数の発光素子が配設された領域にアライメントマークが形成されている。このため、アライメントマークの位置が発光素子の近傍の位置となり、アライメントマークによる位置調整の誤差を小さくすることができる。この結果、結像光学系と発光素子基板との位置関係を正確に調整することができ、レンズと発光素子との位置関係のずれを抑えて所望の結像特性を得ることができる。そして、画像形成装置から形成される画像の画像品質が劣化することを抑制できる。
【００１８】
［適用例７］光を発光する発光素子が複数配設された発光素子基板と、前記発光素子基板に配設された複数の前記発光素子から発光された光を結像させる結像光学系と、を、前記発光素子基板の前記複数の発光素子が配設された領域に形成されたアライメントマークに基づいて位置関係を調整することを特徴とするラインヘッドの組み立て方法。
【００１９】
この構成によれば、発光素子基板の複数の発光素子が配設された領域にアライメントマークが形成されている。このため、アライメントマークの位置が発光素子の近傍の位置となり、アライメントマークによる位置調整の誤差を小さくすることができる。この結果、結像光学系と発光素子基板との位置関係を正確に調整することができ、レンズと発光素子との位置関係のずれを抑えて所望の結像特性を得ることができる。
【図面の簡単な説明】
【００２０】
【図１】本実施形態の画像形成装置の全体構成を示す概略図。
【図２】ラインヘッドの斜視図。
【図３】ラインヘッドを主走査方向から見た断面図。
【図４】発光素子基板に配設された複数の発光素子群と、レンズアレイに形成された複数のレンズの配置を示す図。
【図５】発光素子群に配置された複数の発光素子の構成例を示す拡大図。
【図６】複数の発光素子によって構成される発光素子行の例を示す拡大図。
【図７】複数の発光素子によって構成される発光素子行の異なる例を示す拡大図。
【図８】結像光学系に発光素子基板を配置する前の状態における断面図。
【図９】結像光学系に発光素子基板を配置した状態における断面図。
【発明を実施するための形態】
【００２１】
以下、図を参照し、本実施形態におけるラインヘッド及び画像形成装置について説明する。
【００２２】
図１は、本実施形態の画像形成装置の全体構成を示す概略図である。画像形成装置１は、帯電工程・露光工程・現像工程・転写工程・定着工程を含む一連の画像形成プロセスによって画像を記録媒体Ｐに記録する電子写真方式のプリンターである。本実施形態では、画像形成装置１は、いわゆるタンデム方式を採用するカラープリンターである。このような画像形成装置１は、図１に示すように、帯電工程・露光工程・現像工程のための画像形成ユニット１０と、転写工程のための転写ユニット２０と、定着工程のための定着ユニット３０と、紙などの記録媒体Ｐを搬送するための搬送機構４０と、この搬送機構４０に記録媒体Ｐを供給する給紙ユニット５０とを有している。
【００２３】
画像形成ユニット１０は、イエローのトナー像を形成する画像形成ステーション１０Ｙと、マゼンタのトナー像を形成する画像形成ステーション１０Ｍと、シアンのトナー像を形成する画像形成ステーション１０Ｃと、ブラックのトナー像を形成する画像形成ステーション１０Ｋとの４つの画像形成ステーションを備えている。
【００２４】
各画像形成ステーション１０Ｙ，１０Ｍ，１０Ｃ，１０Ｋは、それぞれ、静電的な潜像を担持する潜像担持体としての感光ドラム（感光体）１１を有し、その周囲（外周側）には、帯電ユニット１２、ラインヘッド１３、現像部としての現像装置１４、クリーニングユニット１５が配設されている。各画像形成ステーション１０Ｙ，１０Ｍ，１０Ｃ，１０Ｋを構成するこれらの装置は、同じ構成であるため、以下、１つの装置について説明する。
【００２５】
感光ドラム１１は、全体形状が円筒状をなすものである。感光ドラム１１の外周面（円筒面）には、感光層（不図示）が形成され、ラインヘッド１３からの光（出射光）を受光する受光面（被照射面）（不図示）を構成している。また、この感光ドラム１１は、その軸線まわりに図１中矢印方向に回転可能となっている。
【００２６】
帯電ユニット１２は、コロナ帯電などにより感光ドラム１１の受光面を一様に帯電させるものである。ラインヘッド１３は、パーソナルコンピューター（不図示）などのホストコンピューターから画像情報を受け、これに応じて、感光ドラム１１の受光面に向けて光を放射する。一方、感光ドラム１１の受光面は、一様に帯電された状態となっており、光の放射パターンに対応した潜像が形成される。
【００２７】
現像装置１４は、トナーを貯留する貯留部（不図示）を有しており、当該貯留部から、静電的な潜像を担持する感光ドラム１１の受光面にトナーを供給し、付与する。これにより、感光ドラム１１上の潜像がトナー像として可視化（現像）される。クリーニングユニット１５は、感光ドラム１１の受光面に当接するゴム製のクリーニングブレード１５１を有し、後述する一次転写後の感光ドラム１１上に残存するトナーをクリーニングブレード１５１により掻き落として除去するようになっている。
【００２８】
転写ユニット２０は、各画像形成ステーション１０Ｙ，１０Ｍ，１０Ｃ，１０Ｋの感光ドラム１１上に形成された各色のトナー像を一括して記録媒体Ｐに転写するようになっている。
【００２９】
各画像形成ステーション１０Ｙ，１０Ｃ，１０Ｍ，１０Ｋでは、それぞれの感光ドラム１１が１回転する間に、帯電ユニット１２による感光ドラム１１の受光面の帯電と、ラインヘッド１３による受光面の露光と、現像装置１４による受光面へのトナーの供給と、一次転写ローラー２２との圧着による中間転写ベルト２１への一次転写と、クリーニングユニット１５による受光面のクリーニングとが順次行なわれる。
【００３０】
転写ユニット２０は、エンドレスベルト状の中間転写ベルト２１を有し、この中間転写ベルト２１は、複数（図１に示す構成では４つ）の一次転写ローラー２２と駆動ローラー２３と従動ローラー２４とで張架されており、駆動ローラー２３の回転により、図１に示す矢印方向に、感光ドラム１１の周速度とほぼ同じ周速度で回転駆動される。
【００３１】
各一次転写ローラー２２は、それぞれ対応する感光ドラム１１に中間転写ベルト２１を介して対向配設されており、感光ドラム１１上の単色のトナー像を中間転写ベルト２１に転写（一次転写）するようになっている。この一次転写ローラー２２は、一次転写時に、トナーの帯電極性とは逆の極性の一次転写電圧（一次転写バイアス）が印加される。
【００３２】
中間転写ベルト２１上には、イエロー、マゼンタ、シアン、ブラックのうちの少なくとも１色のトナー像が担持される。例えば、フルカラー画像の形成時には、中間転写ベルト２１上に、イエロー、マゼンタ、シアン、ブラックの４色のトナー像が順次重ねて転写されて、フルカラーのトナー像が中間転写像として形成される。
【００３３】
転写ユニット２０は、中間転写ベルト２１を介して駆動ローラー２３に対向配設される二次転写ローラー２５と、中間転写ベルト２１を介して従動ローラー２４に対向配設されるクリーニングユニット２６とを有している。
【００３４】
二次転写ローラー２５は、中間転写ベルト２１上に形成された単色あるいはフルカラーなどのトナー像（中間転写像）を、給紙ユニット５０から供給される紙、フィルム、布等の記録媒体Ｐに転写（二次転写）するようになっている。二次転写ローラー２５は、二次転写時に、中間転写ベルト２１に押圧されるとともに二次転写電圧（二次転写バイアス）が印加される。このような二次転写時には、駆動ローラー２３は、二次転写ローラー２５のバックアップローラーとしても機能する。
【００３５】
クリーニングユニット２６は、中間転写ベルト２１の表面に当接するゴム製のクリーニングブレード２６１を有し、二次転写後の中間転写ベルト２１上に残存するトナーをクリーニングブレード２６１により掻き落として除去するようになっている。
【００３６】
定着ユニット３０は、定着ローラー３０１と、定着ローラー３０１に圧接される加圧ローラー３０２とを有しており、定着ローラー３０１と加圧ローラー３０２との間を記録媒体Ｐが通過するよう構成されている。また、定着ローラー３０１は、その内側に当該定着ローラーの外周面を加熱するヒーターが内蔵されており、通過する記録媒体Ｐを加熱及び加圧することができる。このような構成の定着ユニット３０より、トナー像の二次転写を受けた記録媒体Ｐを加熱及び加圧して、トナー像を記録媒体Ｐに融着させて永久像として定着する。
【００３７】
搬送機構４０は、前述した二次転写ローラー２５と中間転写ベルト２１との間の二次転写部へ給紙タイミングを計りつつ記録媒体Ｐを搬送するレジストローラー対４１と、定着ユニット３０での定着処理済みの記録媒体Ｐを挟持搬送する搬送ローラー対４２，４３，４４とを有している。
【００３８】
このような搬送機構４０は、記録媒体Ｐの一方の面のみに画像形成を行う場合には、定着ユニット３０によって一方の面に定着処理された記録媒体Ｐを搬送ローラー対４２により挟持搬送して、画像形成装置１の外部へ排出する。また、記録媒体Ｐの両面に画像形成する場合には、定着ユニット３０によって一方の面に定着処理された記録媒体Ｐを一旦搬送ローラー対４２により挟持した後に、搬送ローラー対４２を反転駆動するとともに、搬送ローラー対４３，４４を駆動して、当該記録媒体Ｐを表裏反転してレジストローラー対４１へ帰還させ、前述と同様の動作により、記録媒体Ｐの他方の面に画像を形成する。
【００３９】
給紙ユニット５０は、未使用の記録媒体Ｐを収容する給紙カセット５１と、給紙カセット５１から記録媒体Ｐを１枚ずつレジストローラー対４１へ向け給送するピックアップローラー５２とを備えている。
【００４０】
次に、ラインヘッド１３について説明する。
図２は、ラインヘッド１３の斜視図である。図３は、図２のラインヘッド１３を主走査方向Ｄ１から見たＡ−Ａ線における断面図である。図３に示すように、ラインヘッド１３は、感光ドラム１１の受光面１１１に対向して配置されている。また、ラインヘッド１３は、主走査方向Ｄ１が、感光ドラム１１の回転軸と平行となるように配置されている。
【００４１】
レンズアレイ８０とレンズアレイ８３は、レンズアレイ８０，８３を支持するための支持部材としてのスペーサー８１，８２を挟んで長手方向を主走査方向Ｄ１にして備えられる。さらに、レンズアレイ８３と発光素子基板８７は、レンズアレイ８３を支持するための支持部材としてのスペーサー８４，８５を挟んで長手方向を主走査方向Ｄ１にして備えられる。
【００４２】
遮光部材８６は、長手方向を主走査方向Ｄ１にして発光素子基板８７とレンズアレイ８３との間に備えられる。発光素子基板８７は、ガラスや樹脂などの透明性を有する基板から形成され、収容部材８８を介してベース８９に備えられる。
【００４３】
レンズアレイ８０，８３の発光素子基板８７側には、凸曲面からなる複数のレンズ６４が形成されている。レンズ６４の構成材料としては、光学特性を有するものであれば、特に限定されないが、例えば、樹脂材料及び／またはガラス材料が好適に用いられる。
【００４４】
発光素子基板８７のベース８９側には、例えば有機ＥＬ（Ｏｒｇａｎｉｃ  Ｅｌｅｃｔｒｏｌｕｍｉｎｅｓｃｅｎｃｅ）、発光ダイオードなどの発光素子群７１が備えられる。発光素子群７１は、収容部材８８に形成された凹部８８１の空間領域内に収容される。
【００４５】
凹部８８１には、発光素子群７１を構成する発光素子（不図示）と電気的に接続された導線類（不図示）、または、各発光素子を駆動させるための回路（不図示）が収納されている。
【００４６】
発光素子群７１から光軸方向Ｄ３に照射された光Ｌは、発光素子基板８７、遮光部材８６に形成された貫通孔８６１、レンズアレイ８３に形成されたレンズ６４、スペーサー８１とスペーサー８２との間に形成された空間領域、レンズアレイ８０に形成されたレンズ６４を通過し感光ドラム１１の受光面１１１に照射される。
【００４７】
図４は、光軸方向Ｄ３から見た図で、発光素子基板８７に配設された複数の発光素子群７１と、レンズアレイ８０，８３に形成された複数のレンズ６４の配置を示す図である。同図に示すように、レンズ６４は、主走査方向Ｄ１に複数列配置されるとともに、主走査方向Ｄ１に直交する副走査方向Ｄ２に複数行配置されている。
【００４８】
複数のレンズ６４は、互いに離間して、３行ｎ列（ｎは２以上の整数）の行列状に配置されている。レンズアレイ８０に形成されている一つのレンズ６４と、レンズアレイ８３に形成されている一つのレンズ６４とは、図３に示すように、光軸が一致するように対向して配置されている。また、図４に示すように、複数の発光素子群７１は、各レンズ６４の配置位置に対応して、互いに離間し、３行ｎ列（ｎは２以上の整数）の行列状に配置されている。
【００４９】
図５は、発光素子群７１に配置された複数の発光素子７４の構成例を示す拡大図である。同図に示すように、発光素子群７１は、発光素子基板８７において互いに離間した複数の発光素子７４で構成されている。また、同図の斜線の領域は、複数の発光素子７４が配設された発光素子配設領域７１Ａを示している。この発光素子配設領域７１Ａには、十字形状のアライメントマークＡＭが形成されている。このアライメントマークＡＭは、発光素子配設領域７１Ａの中心の位置であって、かつ各発光素子７４とオーバーラップしない位置に形成されている。このため、アライメントマークＡＭは、各発光素子７４が当該アライメントマークＡＭを中心に点対称の配置となるような位置に形成される。
【００５０】
図６は、複数の発光素子７４によって構成される発光素子行の例を示す拡大図である。同図に示すように、各発光素子７４は、主走査方向Ｄ１となる第１の方向に配列されて発光素子行ｌ１〜ｌ４を構成している。また、各発光素子行の発光素子７４は、隣接する発光素子行間で第１の方向に互いにずらして配置されている。これにより、第１の方向に隣接する発光素子７４間を、次の行の１つの発光素子７４で補完している。
図６では、発光素子行ｌ１〜ｌ４が４行の偶数行であって、発光素子行ｌ２とｌ３の行間にアライメントマークＡＭが形成されている。また、例えば、発光素子７４ａと発光素子７４ｄ、発光素子７４ｂと発光素子７４ｃがアライメントマークＡＭを中心に点対称の配置となっている。
【００５１】
図７は、複数の発光素子７４によって構成される発光素子行の異なる例を示す拡大図である。同図では、発光素子行ｌ１〜ｌ３が３行の奇数行であるが、各行の発光素子７４が第１の方向にｍ１〜ｍ１２の偶数個配設されていることから、ｍ６番目とｍ７番目の発光素子７４間にアライメントマークＡＭが形成されている。
図６及び図７の例に示すように、アライメントマークＡＭを、発光素子配設領域７１Ａの中心の位置であって、かつ各発光素子７４とオーバーラップしない位置に形成するために、発光素子行が偶数行であるか、または発光素子行に発光素子７４が偶数個配設されていなくてはならない。
【００５２】
なお、本実施形態では、２枚のレンズアレイ８０，８３が用いられている。しかし、レンズアレイの枚数はこれに限られず、１枚であっても良いし、３枚以上であっても良い。
また、本実施形態では、アライメントマークＡＭの形状を十字形状としたが、十字形状に限られず、例えば＋形状やＸ字形状であっても他の形状であっても良い。
【００５３】
次に、ラインヘッド１３の組み立て方法における発光素子基板８７とレンズアレイ８０，８３との位置を調整する方法について説明する。
図８は、発光素子基板８７を配置する前の状態における、スペーサー８１，８２，８４，８５によって支持されたレンズアレイ８０，８３を主走査方向Ｄ１から見た断面図である。同図に示すように、レンズアレイ８０にはスペーサー８１，８２が接合されて、当該スペーサー８１，８２にはレンズアレイ８３が接合されている。さらに、当該レンズアレイ８３にはスペーサー８４，８５が接合されている。これらの接合において、レンズアレイ８０，８３に形成されて互いに対向する位置にあるレンズ６４のそれぞれは、光軸Ｅが一致するように位置調整されている。ここで、レンズアレイ８０，８３及びスペーサー８１，８２，８４，８５の全体で結像光学系８を構成している。
【００５４】
図９は、結像光学系８に発光素子基板８７を配置した状態における断面図である。同図に示す観察光学系９０は、例えば工具顕微鏡やＣＣＤカメラであって、発光素子基板８７に配設された発光素子群７１から照射された光が、レンズアレイ８０，８３に形成された各レンズ６４を通過して照射される側に配置されている。
この観察光学系９０により、レンズアレイ８０，８３に形成された対向する位置にある各レンズ６４を観察して当該各レンズ６４の中心となる光軸Ｅを測定する。次に、観察光学系９０配置状態をそのまま維持して、発光素子基板８７に配設された発光素子群７１を観察してアライメントマークＡＭ（図５〜図７参照）を測定する。そして、各レンズ６４の光軸ＥとアライメントマークＡＭの位置とが合うようにして、結像光学系８と発光素子基板８７との位置関係を調整する。
【００５５】
本実施形態のラインヘッド１３の組み立て方法では、発光素子基板８７の領域に形成されたアライメントマークＡＭに基づいて、結像光学系８と発光素子基板８７との位置関係を調整する。このアライメントマークＡＭは、発光素子配設領域７１Ａの中心の位置であって、かつ各発光素子７４とオーバーラップしない位置に形成されている。これにより、レンズアレイ８０，８３に形成された各レンズ６４の光軸Ｅと発光素子群７１との位置関係がずれないように位置調整することができる。この結果、結像光学系８と発光素子基板８７との位置関係を容易に且つ高精度に調整することができ、所望の結像特性を得ることができる。
【符号の説明】
【００５６】
１０…画像形成ユニット、１０Ｃ，１０Ｋ，１０Ｍ，１０Ｙ…画像形成ステーション、１１…感光ドラム、１２…帯電ユニット、１３…ラインヘッド、１４…現像装置、１５，２６…クリーニングユニット、２０…転写ユニット、２１…中間転写ベルト、２２…一次転写ローラー、２３…駆動ローラー、２４…従動ローラー、２５…二次転写ローラー、３０…定着ユニット、４０…搬送機構、４１…レジストローラー対、４２〜４４…搬送ローラー対、５０…給紙ユニット、５１…給紙カセット、５２…ピックアップローラー、６４…レンズ、７１…発光素子群、７１Ａ…発光素子配設領域、７４，７４ａ，７４ｂ，７４ｃ，７４ｄ…発光素子、８０，８３…レンズアレイ、８１，８２，８４，８５…スペーサー、８６…遮光部材、８７…発光素子基板、８８…収容部材、８９…ベース、９０…観察光学系、１１１…受光面、１５１，２６１…クリーニングブレード、３０１…定着ローラー、３０２…加圧ローラー、８６１…貫通孔、８８１…凹部、Ｄ１…主走査方向、Ｄ２…副走査方向、Ｄ３…光軸方向、ｌ１〜ｌ４…発光素子行、ｍ１〜ｍ１２…発光素子個数。
【図１】
2011067961.tif 000003
【図２】
2011067961.tif 000004
【図３】
2011067961.tif 000005
【図４】
2011067961.tif 000006
【図５】
2011067961.tif 000007
【図６】
2011067961.tif 000008
【図７】
2011067961.tif 000009
【図８】
2011067961.tif 000010
【図９】
2011067961.tif 000011